(57)【要約】【課題】利用者の特性に適合した動作を行うことができる自動改札機、鉄道利用管理システム、自動改札機制御プログラム、およびアプリケーションプログラムを提供することである。【解決手段】実施形態の自動改札機は、光学読取部と、通過可否判定部と、通過制御部とを持つ。光学読取部は、端末装置により表示された画像から、乗車券としての効力情報を含む情報を光学的に取得する。通過可否判定部は、光学的読取部により取得された効力情報に基づいて、前記端末装置の利用者の通過可否を判定する。通過制御部は、前記光学読取部が前記画像から所定の特性情報を取得したか否かに基づいて、少なくとも前記利用者の通過を禁止する動作の態様を異ならせる。【選択図】図１
2018022449.tif 000002
【特許請求の範囲】
【請求項１】
端末装置により表示された画像から、乗車券としての効力情報を含む情報を光学的に取得する光学読取部と、
光学的読取部により取得された効力情報に基づいて、前記端末装置の利用者の通過可否を判定する通過可否判定部と、
前記光学読取部が前記画像から所定の特性情報を取得したか否かに基づいて、少なくとも前記利用者の通過を禁止する動作の態様を異ならせる通過制御部と、
を備える自動改札機。
【請求項２】
前記通過制御部は、前記通過可否判定部により利用者の通過が禁止され、且つ前記光学読取部が前記画像から所定の特性情報を取得した場合、前記通過可否判定部により利用者の通過が禁止され、且つ前記光学読取部が前記所定の特性情報を取得していない場合に比して、前記利用者の通過を禁止する動作を緩慢にする、
請求項１記載の自動改札機。
【請求項３】
前記利用者の通過を妨げる扉部を、更に有し、
前記通過制御部は、前記利用者の通過を禁止する動作において、前記扉部を動作させる度合を緩慢にする、
請求項２記載の自動改札機。
【請求項４】
前記利用者に情報を出力する出力部を、更に有し、
前記通過制御部は、前記通過可否判定部により利用者の通過が禁止され、且つ前記光学読取部が前記画像から所定の特性情報を取得した場合、前記通過可否判定部により利用者の通過が禁止され、且つ前記光学読取部が前記所定の特性情報を取得していない場合に比して、前記出力部に出力させる情報を利用者にとって認識しやすい態様に変更して、前記出力部に変更した情報を出力させる、
請求項１から３のうちいずれか１記載の自動改札機。
【請求項５】
前記利用者に情報を表示する表示部を、更に有し、
前記通過制御部は、前記通過可否判定部により利用者の通過が禁止され、且つ前記光学読取部が前記画像から所定の特性情報を取得した場合、前記通過可否判定部により利用者の通過が禁止され、且つ前記光学読取部が前記所定の特性情報を取得していない場合に比して、前記表示部に表示させる画像を利用者にとって認識しやすい画像に変更して、前記表示部に変更した画像を表示させる、
請求項４記載の自動改札機。
【請求項６】
前記通過制御部は、前記通過可否判定部により利用者の通過が許可され、前記利用者が自機を通過し、且つ前記光学読取部が前記画像から所定の特性情報を取得した場合、前記通過可否判定部により利用者の通過が許可され、前記利用者が自機を通過し、且つ前記光学読取部が前記所定の特性情報を取得していない場合に比して、前記通過可否判定部により利用者の通過が許可され、且つ前記利用者が自機を通過した後に、前記光学的読取部に前記端末装置により表示された画像とは異なる画像から前記効力情報を含む情報を取得させる動作を開始させるタイミングを、遅延させる、
請求項１から５のうちいずれか１項記載の自動改札機。
【請求項７】
請求項１から６のうちいずれか１項記載の自動改札機と、
端末装置と通信する管理装置側通信部と、
前記端末装置に対する利用者の操作に基づいて生成され、前記管理装置側通信部により前記端末装置から受信された画像要求情報に基づいて、利用者が駅構内に入場するための前記画像を前記端末装置に表示させるための情報を、前記管理装置側通信部を用いて前記端末装置に送信する管理装置制御部と、
を備える鉄道利用管理システム。
【請求項８】
請求項１から７のうちいずれか１項記載の自動改札機と、
端末装置と通信する管理装置側通信部と、
前記管理装置側通信部により前記自動改札機から受信された情報に基づいて、利用者が駅構外に出場するための前記画像を前記端末装置に表示させるための情報を、前記管理装置側通信部を用いて前記端末装置に送信する管理装置側制御部と、
を備える鉄道利用管理システム。
【請求項９】
利用者により提示された媒体から、乗車券としての効力情報を含む情報を取得する情報読取部と、
情報読取部により取得された効力情報に基づいて、前記利用者の通過可否を判定する通過可否判定部と、
前記情報読取部が所定の特性情報を取得したか否かに基づいて、少なくとも前記利用者の通過を禁止する動作の態様を異ならせる通過制御部と、
を備える自動改札機。
【請求項１０】
コンピュータに、
端末装置により表示された画像から、乗車券としての効力情報を含む情報を光学的に取得させ、
前記取得された効力情報に基づいて、前記端末装置の利用者の通過可否を判定させ、
前記画像から所定の特性情報が取得されたか否かに基づいて、少なくとも前記利用者の通過を禁止する動作の態様を異ならせる、
自動改札機制御プログラム。
【請求項１１】
通信部と表示部を有する端末装置に、
利用者が駅構内に入場するための第１画像を表示するための情報を要求するための入力画面を前記表示部に表示させ、
前記表示部に表示させた入力画面に対する操作に応じて生成される画像要求情報を、前記通信部を用いて管理装置に送信させ、
前記管理装置から、前記画像要求情報に対する応答として前記通信部により受信された、前記第１画像を表示するための情報と、記憶部に記憶された所定の特性情報とに基づいて、前記第１画像を前記表示部に表示させ、
前記表示部に第１画像を表示させた後、前記管理装置から受信された、前記利用者が駅構外に出場するための第２画像を表示するための情報と、前記所定の特性情報とに基づいて、前記第２画像を前記表示部に表示させる、
アプリケーションプログラム。
【発明の詳細な説明】
【技術分野】
【０００１】
本発明の実施形態は、自動改札機、鉄道利用管理システム、自動改札機制御プログラム、およびアプリケーションプログラムに関する。
【背景技術】
【０００２】
従来、利用者の通過を許可または禁止する自動改札機が用いられている。自動改札機の動作は、利用者に拘わらず画一的であった。しかしながら、自動改札機を利用する利用者は多様であるため、利用者にとって自動改札機の動作が適さない場合があった。
【先行技術文献】
【特許文献】
【０００３】
【特許文献１】特開２００６−２７６９４０号公報
【発明の概要】
【発明が解決しようとする課題】
【０００４】
本発明が解決しようとする課題は、利用者の特性に適合した動作を行うことができる自動改札機、鉄道利用管理システム、自動改札機制御プログラム、およびアプリケーションプログラムを提供することである。
【課題を解決するための手段】
【０００５】
実施形態の自動改札機は、光学読取部と、通過可否判定部と、通過制御部とを持つ。光学読取部は、端末装置により表示された画像から、乗車券としての効力情報を含む情報を光学的に取得する。通過可否判定部は、光学的読取部により取得された効力情報に基づいて、前記端末装置の利用者の通過可否を判定する。通過制御部は、前記光学読取部が前記画像から所定の特性情報を取得したか否かに基づいて、少なくとも前記利用者の通過を禁止する動作の態様を異ならせる。
【図面の簡単な説明】
【０００６】
【図１】第１の実施形態における鉄道利用管理システム１の構成の一例を示す図。
【図２】端末装置１０の構成の一例を示す図。
【図３】乗車券購入アプリ３１が起動された際に、端末装置１０のタッチパネル部に乗車券購入のための入力画面が表示された様子を示す図。
【図４】第１の実施形態における自動改札機１００を上方から見た図。
【図５】第１の実施形態における自動改札機１００の読取部１１１を上方から見た図。
【図６】第１の実施形態における自動改札機１００の機能構成の一例を示す図。
【図７】第１の実施形態におけるセンターサーバ装置３００の機能構成の一例を示す図。
【図８】利用者情報データベース３３２の一例を示す図。
【図９】効力情報データベース３３４の一例を示す図。
【図１０】入場情報データベース３３６の一例を示す図。
【図１１】出場情報データベース３３８の一例を示す図。
【図１２】第１の実施形態における鉄道利用管理システム１の処理の流れの一例を示すシーケンス図。
【図１３】第１の実施形態における端末装置１０による処理の流れの一例を示すフローチャート。
【図１４】第１の実施形態における自動改札機１００による処理の流れの一例を示すフローチャート。
【図１５】特性情報テーブル１７４の一例を示す図。
【図１６】扉部１１４および１３４の、通常時の動作と、特性情報に応じた動作とを比較するタイミングチャート。
【図１７】読取部１１１および１３１の、通常時の動作と、特性情報に応じた動作とを比較するタイミングチャート。
【図１８】第１の実施形態におけるセンターサーバ装置３００による処理の流れの一例を示すフローチャート。
【図１９】乗車券購入アプリ３１が起動された際に、端末装置１０のタッチパネル部に乗車券購入のための入力画面が表示された様子の他の例を示す図。
【図２０】第２の実施形態における自動改札機１００Ａによる処理の流れの一例を示すフローチャート。
【発明を実施するための形態】
【０００７】
以下、実施形態の自動改札機、鉄道利用管理システム、自動改札機制御プログラム、およびアプリケーションプログラムを、図面を参照して説明する。実施形態の鉄道利用管理システムは、鉄道の駅における入出場の管理を行うシステムである。
【０００８】
（第１の実施形態）
［全体構成］
図１は、第１の実施形態における鉄道利用管理システム１の構成の一例を示す図である。鉄道利用管理システム１は、例えば、端末装置１０と、複数の自動改札機１００と、複数の駅務サーバ装置２００と、センターサーバ装置３００とを備える。各駅には、少なくとも一つの自動改札機１００および駅務サーバ装置２００が設置される。
【０００９】
端末装置１０は、利用者によって利用される携帯可能な端末装置である。端末装置１０は、例えば、スマートフォンなどの携帯電話、タブレット端末、ＰＤＡ（Personal Digital Assistant）などである。端末装置１０は、自動改札機１００に翳す媒体として利用される。すなわち、鉄道利用管理システム１では、端末装置１０が乗車券として利用される。端末装置１０の画面上には、端末装置１０を乗車券として機能させるための読取画像ＣＤが表示される。この読取画像ＣＤは、利用者が自動改札機１００を通過する際に自動改札機１００によって読み取られる。読取画像ＣＤは、例えば、ＱＲコード（登録商標）等の二次元コードや、バーコード等の一次元コード等である。これらの各種コードは、例えば、乗車券としての効力情報、または効力情報とその他情報とを含めた情報がエンコードされたものである。効力情報は、例えば、有効期間、入場駅（発駅）の識別情報、乗車可能区間、読取画像ＣＤのそれぞれを識別するコード識別情報（コードＩＤ）等を含む情報である。また、その他情報は、例えば、端末装置１０における設定言語、利用者の特性を示す所定の特性情報等を含む情報である。なお、読取画像ＣＤは、機械（自動改札機１００）によって内容が認識可能であると共に、人が視認することによって内容が認識できないものであれば如何なる態様であってもよい。
【００１０】
自動改札機１００は、例えば、駅の改札口に設けられる。自動改札機１００は、端末装置１０の表示画面に表示された読取画像ＣＤから情報を読み取ることによって、利用者の通過を許可または禁止する。なお、本実施形態において自動改札機１００は、読取画像ＣＤのみを処理可能な装置として説明するがこれに限られない。例えば、自動改札機１００は、更に、交通系ＩＣカードや磁気券、コードが印刷された紙券などを並行して処理可能な装置であってもよい。
【００１１】
駅務サーバ装置２００は、例えば、ＬＡＮ（Local Area Network）等のネットワークを介して自動改札機１００と通信を行う。また、駅務サーバ装置２００は、自動改札機１００から取得した情報を、ＬＡＮやＷＡＮ（Wide Area Network）、セルラー通信網、インターネット等を含むネットワークＮＷを介して、センターサーバ装置３００に送信する。更に、駅務サーバ装置２００は、センターサーバ装置３００から受信した情報を自動改札機１００等に送信する。
【００１２】
センターサーバ装置３００は、駅務サーバ装置２００およびネットワークＮＷを介して自動改札機１００から受信した情報に基づいて、種々の処理を行う。また、センターサーバ装置３００は、端末装置１０とネットワークＮＷを介して通信を行う。センターサーバ装置３００は、「管理装置」の一例である。
【００１３】
以下、端末装置１０、自動改札機１００、およびセンターサーバ装置３００についてそれぞれ説明する。
【００１４】
［端末装置］
まず、端末装置１０について説明を行う。図２は、端末装置１０の構成の一例を示す図である。端末装置１０は、例えば、操作部１１と、表示部１２と、端末側通信部１３と、乗車券購入処理部１４と、端末側記憶部３０とを備える。操作部１１は、例えば、ボタン、キーボード、マウス、マイク、タッチパネル等のユーザインターフェースである。なお、表示部１２がタッチパネルである場合、操作部１１の一部は表示部１２と一体として形成される。操作部１１は、利用者による、読取画像ＣＤを表示部１２に表示させるための入力操作を受け付ける。
【００１５】
表示部１２は、例えば、ＬＣＤ（Liquid Crystal Display）や有機ＥＬ（Electroluminescence）ディスプレイなどの表示装置を含む。表示部１２は、乗車券購入処理部１４によって出力される情報に基づいて各種画像を表示する。以下、操作部１１と表示部１２が一体として形成されたものをタッチパネル部と称して説明する。
【００１６】
端末側通信部１３は、図示しない無線基地局により仲介されるセルラー網やＷｉ−Ｆｉ網、専用回線、プロバイダ、インターネット等を介してセンターサーバ装置３００と通信する。
【００１７】
乗車券購入処理部１４は、ＣＰＵ（Central Processing Unit）等のプロセッサが端末側記憶部３０に記憶されたプログラム（例えば乗車券購入アプリ３１）を実行することにより実現される。プログラムは、例えば、ネットワークＮＷを介してアプリケーションサーバからダウンロードされてもよいし、ＳＤカードなどの可搬型記憶媒体に格納されたものが端末装置１０にインストールされてもよい。また、乗車券購入処理部１４の機能のうち一部または全部は、ＬＳＩ（Large Scale Integration）、ＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００１８】
端末側記憶部３０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。端末側記憶部３０は、プロセッサが実行する乗車券購入アプリ３１等のプログラムや、センターサーバ装置３００から取得した所定の特性情報を格納する。
【００１９】
図３は、乗車券購入アプリ３１が起動された際に、端末装置１０のタッチパネル部に乗車券購入のための入力画面が表示された様子を示す図である。この入力画面は、予めユーザ登録をしておき、例えばユーザＩＤやパスワードを入力してログインした後に、所定の操作をすることで表示される。例えば、乗車券購入アプリ３１がタッチ操作されるなどして起動すると、乗車券購入処理部１４は、乗車券購入のための入力画面を端末装置１０に表示させる。入力画面には、日本語や英語といった端末装置１０の設定言語を設定するための領域Ａ１、乗車区間を指定するための領域Ａ２、乗車券の効力が有効開始となる乗車日を指定するための領域Ａ３、乗車券の発行要求を確定するためのボタンＢ１などが設けられてよい。端末装置１０の設定言語は、乗車券購入アプリ３１内での設定言語であってもよいし、端末装置１０のＯＳ（Operating System）の設定言語であってもよい。
【００２０】
また、入力画面には、乗車券購入に係る費用の決済方式を指定するための領域（不図示）などが設けられていてもよい。このような入力画面は、乗車券購入アプリ３１へのログインが完了した後に表示されてよい。上述した領域に各種情報が入力されて、図中「ＹＥＳ」ボタンが操作されると、乗車券の発行要求が確定する。この場合、乗車券購入処理部１４は、端末側通信部１３を用いて、入力された情報を画像要求情報（画像リクエスト）としてセンターサーバ装置３００に送信する。
【００２１】
［自動改札機］
次に、自動改札機１００の説明を行う。図４は、第１の実施形態における自動改札機１００を上方から見た図である。自動改札機１００は、例えば、通路を挟んで対向配置される主機１１０と従機１３０とを備えてよい。主機１１０は、例えば、読取部１１１と、上面表示部１１２と、正面表示部１１３と、扉部１１４および１１５と、改札機側制御部１５０と、通過センサ１４０−１から１４０−４とを備える。また、従機１３０は、読取部１３１と、上面表示部１３２と、正面表示部１３３と、扉部１３４および１３５とを備える。
【００２２】
主機１１０の読取部１１１は、図４に示すａ方向に通過しようとする利用者によって翳された端末装置１０により表示された読取画像ＣＤを撮像し、画像データを改札機側制御部１５０に送信する。
【００２３】
上面表示部１１２は、読取部１１１に対して端末装置１０が翳された場合に、改札機側制御部１５０によって処理された結果、またはセンターサーバ装置３００から受信した情報に基づく画像を表示する。正面表示部１１３は、図４に示すａ方向に通過可能であるか否かを示すマークや図形、文字等を表示する。正面表示部１１３の表示内容または表示の有無は、改札機側制御部１５０によって決定される。
【００２４】
一方、従機１３０の読取部１３１は、図４に示すｂ方向に通過しようとする利用者によって翳された端末装置１０に表示された読取画像ＣＤを撮像し、画像データを改札機側制御部１５０に送信する。上面表示部１３２は、読取部１３１に対して端末装置１０が翳された場合に、改札機側制御部１５０によって処理された結果、またはセンターサーバ装置３００から受信した情報に基づく画像を表示する。正面表示部１３３は、図４に示すｂ方向に通過可能であるか否かを示すマークや図形、文字等を表示する。正面表示部１３３の表示内容または表示の有無は、改札機側制御部１５０によって決定される。
【００２５】
改札機側制御部１５０は、図４に示すａ方向への利用者の通過を許可する動作モードに自動改札機１００が設定されている場合、扉部１１５および１３５を開放状態に維持すると共に、扉部１１４および１３４を開放状態または閉止状態に制御することで、ａ方向の利用者の通過を許可または禁止する。また、改札機側制御部１５０は、図４に示すｂ方向への利用者の通過を許可する動作モードに自動改札機１００が設定されている場合、扉部１１４および１３４を開放状態に維持すると共に、扉部１１５および１３５を開放状態または閉止状態に制御することで、ｂ方向の利用者の通過を許可または禁止する。
【００２６】
また、自動改札機１００の動作モードには、図４に示すａ方向の通過とｂ方向の通過との双方を許可する動作モードが含まれていてもよい。この場合、改札機側制御部１５０は、例えば、利用者が通過中でなければ正面表示部１１３と正面表示部１３３の双方に通過を許可することを示すマークや図形、文字等を表示させる制御を行う。また、改札機側制御部１５０は、例えば、利用者がａ方向およびｂ方向のいずれかの側から進入し、読取部１１１と読取部１３１とのいずれか一方に端末装置１０が翳されると、他方の読取部を無効化すると共に、利用者が進入してきていない側の表示部（正面表示部１１３または正面表示部１３３）に、通過を禁止することを示すマークや図形、文字等を表示させる制御を行う。
【００２７】
なお、自動改札機１００は、上述したように利用者が双方向に通過可能なものに限らず、主機と補機（従機）により構成される、利用者が一方向にのみ通過可能なものであってもよい。
【００２８】
また、例えば自動改札機１００の通路側の側面には、複数の通過センサ１４０−１から１４０−４が設けられている。複数の通過センサ１４０−１から１４０−４は、自動改札機１００により形成された通路内の利用者を検知し、検知結果を改札機側制御部１５０に出力する。通過センサ１４０−１から１４０−４は、例えば赤外線センサや、光センサなどで実現される。通過センサ１４０−１から１４０−４は、対向する補機に設けられた通過センサと連携して通路内の利用者を検知するものであってもよい。以下、通過センサ１４０−１から１４０−４を区別しない場合は、単に「通過センサ１４０」と称する。
【００２９】
図５は、第１の実施形態における自動改札機１００の読取部１１１を上方から見た図である。読取部１１１は、例えば、タッチ面表示部ＰＮおよびカメラＣＡＭを備える。タッチ面表示部ＰＮは、例えば、ＬＣＤや有機ＥＬディスプレイであり、上方から見てカメラＣＡＭの周囲に配置される。タッチ面表示部ＰＮは、改札機側制御部１５０の制御に基づいて、点灯したり、消灯したりする。カメラＣＡＭは、利用者によって自機前に翳された物体を撮像する。例えば、表示画面に読取画像ＣＤが表示された端末装置１０が利用者によって翳されると、カメラＣＡＭは、端末装置１０の表示画面を撮像する。カメラＣＡＭは、例えば、ＣＣＤ（Charge-Coupled Device）やＣＭＯＳ（Complementary Metal Oxide Semiconductor）等のイメージセンサを有する。なお、図５に示す読取部１１１の構成は、従機１３０の読取部１３１にも同様に適用してもよい。すなわち、従機１３０の読取部１３１は、タッチ面表示部ＰＮおよびカメラＣＡＭを含む構成であってもよい。
【００３０】
図６は、第１の実施形態における自動改札機１００の機能構成の一例を示す図である。自動改札機１００は、図４に示す構成の他、例えば、外部装置と通信を行う改札機側通信部１４５と、改札機側制御部１５０の指示に従って音声を出力するスピーカ１４２と、種々の情報を格納する改札機側記憶部１７０とを更に備える。改札機側制御部１５０は、通信制御部１５２と、画像処理部１５４と、通過可否判定部１５６と、通過制御部１５８とを備える。上述した上面表示部１１２および１３２と、正面表示部１１３および１３３と、スピーカ１４２とは、「出力部」の一例である。
【００３１】
改札機側制御部１５０の構成要素の一部または全部は、ＣＰＵ等のプロセッサが改札機側記憶部１７０に記憶されたプログラムを実行することにより実現されてよい。また、改札機側制御部１５０の構成要素の一部または全部は、ＬＳＩ、ＡＳＩＣ、ＦＰＧＡ等のハードウェアによって実現され、それぞれの機能を実現するための回路構成を有してもよい。また、改札機側制御部１５０の構成要素の一部または全部は、ソフトウェアとハードウェアの協働によって実現されてもよい。
【００３２】
改札機側記憶部１７０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現されてよい。改札機側記憶部１７０は、プロセッサが実行するプログラムを格納する他、自機が設置された駅の識別情報や、各種表示部に表示させる画像データやテキストデータ、スピーカ１４２に出力させる音声データ、運賃テーブル１７２、特性情報テーブル１７４（詳細は後述）等を格納する。画像データ、テキストデータ、および音声データは、乗車券購入アプリ３１において設定され得る端末装置１０の設定言語の数に対応した数だけ用意されてよい。また、画像データ、テキストデータ、および音声データは、後述する特性情報テーブル１７４に含まれる特性情報の数に対応した数だけ用意されてもよい。運賃テーブル１７２は、例えば、駅の区間に対して運賃が対応付けられた情報である。
【００３３】
通信制御部１５２は、改札機側通信部１４５を用いて、画像処理部１５４による処理結果、読取部１１１（１３１）に読取画像ＣＤが翳された時刻、自機が設置された駅の識別情報などを、駅務サーバ装置２００を介してセンターサーバ装置３００に送信する。また、通信制御部１５２は、改札機側通信部１４５を用いて、センターサーバ装置３００により駅務サーバ装置２００を介して送信された情報を受信してもよい。自機が設置された駅の識別情報（駅ＩＤ）は、予め改札機側記憶部１７０に格納されてよい。
【００３４】
画像処理部１５４は、例えば、読取部１１１（１３１）のカメラＣＡＭにより撮像された画像における読取画像ＣＤの部分を解析して配列情報を取得し、配列情報をデコードして、ビット列などで表されるコンピュータが認識可能な電子情報に変換する。電子情報には、前述した効力情報が含まれる。上述した読取部１１１、１３１と画像処理部１５４とを合わせたものは、「光学読取部」の一例である。
【００３５】
通過可否判定部１５６は、画像処理部１５４により取得された情報に基づいて、利用者の通過可否を判定する。
【００３６】
通過制御部１５８は、通過可否判定部１５６による判定結果に基づいて、利用者の通過を許可、あるいは禁止する制御を行う。また、通過制御部１５８は、画像処理部１５４によって読取画像ＣＤが抽出されない場合、または抽出された読取画像ＣＤがデコードされない、あるいはデコードされた結果が無効な場合、利用者の通過を禁止する制御を行う。通過制御部１５８は、通過の許可または禁止の判定に応じて、扉部１１４、１１５、１３４、１３５、スピーカ１４２、上面表示部１１２、１３２、正面表示部１１３、１３３、タッチ面表示部ＰＮ、またはこれらを組み合わせたものを制御する。なお、通過制御部１５８は、画像処理部１５４により取得された情報に、端末装置１０（乗車券購入アプリ３１）における設定言語の情報が含まれている場合、この設定言語に合わせて各種表示部に表示させる画像データ（またはテキストデータ）やスピーカ１４２に出力させる音声データを選択してよい。例えば、設定言語が英語の場合、通過制御部１５８は、改札機側記憶部１７０に格納された各種データから、英字表記されたテキストデータを選択すると共に、英語音声の音声データを選択する。
【００３７】
また、通過制御部１５８は、画像処理部１５４により所定の特性情報が取得されたか否かに基づいて、少なくとも利用者の通過を禁止する動作の態様を異ならせる。通過制御部１５８の処理の詳細については後述する。
【００３８】
［センターサーバ装置］
次に、センターサーバ装置３００の説明を行う。図７は、第１の実施形態におけるセンターサーバ装置３００の機能構成の一例を示す図である。センターサーバ装置３００は、例えば、サーバ側通信部３０５と、サーバ側制御部３１０と、サーバ側記憶部３３０とを備える。
【００３９】
サーバ側制御部３１０は、アプリ連携処理部３１２と、決済処理部３１４とを備える。サーバ側制御部３１０のこれらの構成要素のうち一部または全部は、ＣＰＵ等のプロセッサがサーバ側記憶部３３０に記憶されたプログラムを実行することにより実現される。プログラムは、例えば、ネットワークＮＷを介してアプリケーションサーバからダウンロードされてもよいし、ＳＤカードなどの可搬型記憶媒体に格納されたものがセンターサーバ装置３００にインストールされてもよい。また、サーバ側制御部３１０の構成要素のうち一部または全部は、ＬＳＩ、ＡＳＩＣ、ＦＰＧＡ等のハードウェアによって実現されてもよいし、ソフトウェアとハードウェアの協働によって実現されてもよい。
【００４０】
サーバ側記憶部３３０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。サーバ側記憶部３３０は、プロセッサが実行するプログラムを格納する他、後述する利用者情報データベース３３２、効力情報データベース３３４、入場情報データベース３３６、および出場情報データベース３３８を格納する。
【００４１】
図８は、利用者情報データベース３３２の一例を示す図である。図示のように、利用者情報データベース３３２は、乗車券購入アプリ３１の利用者の識別情報であるユーザＩＤに対し、乗車券購入に係る費用の決済方式、利用者の特性を示す特性情報（ＣＨ１からＣＨ３・・・）などの情報が対応付けられた情報である。ユーザＩＤは、例えば、乗車券購入アプリ３１のログインＩＤであってよい。特性情報は、高齢の利用者、妊娠中の利用者、怪我をしている利用者、病気の利用者、視覚の障害を有する利用者、聴覚の障害を有する利用者、子供を連れて鉄道を利用する利用者などの利用者の特性を示す情報である。特性情報は、これらを分類したそれぞれを示す情報であってもよいし、これらのように周囲からのケアが必要な利用者に該当するか否かを示す択一的な情報であってもよい。自動改札機１００は、通過可否の判定を行う際に、特性情報に基づいて、読取部１１１、１３１や、扉部１１４、１１５、１３４、１３５、スピーカ１４２、上面表示部１１２、１３２、タッチ面表示部ＰＮ等のうち、一部または全部を制御する。
【００４２】
利用者情報データベース３３２は、例えば、乗車券購入アプリ３１が起動された端末装置１０により送信された情報を参照することによって随時、レコード（一つのユーザＩＤに対応するデータ）が追加されてよい。なお、端末装置１０の利用者が指定する決済方式や口座番号、特性情報などを、駅窓口の駅務員や決済代行サービス業者のオペレータなどが専用端末に入力する場合、センターサーバ装置３００は、当該専用端末により出力された情報を参照することで利用者情報データベース３３２を生成してもよい。
【００４３】
駅務員やオペレータ等は、利用者により所定の証明書が提出された場合、ネットワークＮＷに接続された専用端末を操作して、提出された所定の証明書に対応する特性情報を利用者情報データベース３３２に登録してもよい。所定の証明書は、例えば、公的機関により発行された証明書や、医師の診断書、鉄道会社により発効された証明書などである。また、駅係員が、利用者について所定の条件を満たすと判断した場合、駅係員は、ネットワークＮＷに接続された専用端末を操作して、所定の条件に対応する特性情報を利用者情報データベース３３２に登録してもよい。
【００４４】
図９は、効力情報データベース３３４の一例を示す図である。図示のように、効力情報データベース３３４は、ユーザＩＤに対し、有効期間、入場駅の識別情報（入場駅ＩＤ）、コードＩＤといった効力情報が対応付けられた情報である。効力情報データベース３３４には、例えば、乗車券購入アプリ３１が起動された端末装置１０により送信された情報が随時、レコードとして追加されてよい。
【００４５】
図１０は、入場情報データベース３３６の一例を示す図である。図示のように、入場情報データベース３３６は、コードＩＤに対し、入場時刻、入場駅の識別情報（入場駅ＩＤ）、入出場コードといった情報が対応付けられた情報である。入場情報データベース３３６には、入場処理を行った自動改札機１００により送信された入場情報がレコードとして追加されてよい。
【００４６】
図１１は、出場情報データベース３３８の一例を示す図である。図示のように、出場情報データベース３３８は、コードＩＤに対し、出場時刻、出場駅の識別情報（出場駅ＩＤ）、入出場コードといった情報が対応付けられた情報である。出場情報データベース３３８は、出場処理を行った自動改札機１００により送信された出場情報がレコードとして追加されてよい。
【００４７】
サーバ側通信部３０５は、上述したネットワークＮＷを介して、端末装置１０や自動改札機１００と通信を行う。サーバ側通信部３０５は、サーバ側制御部３１０の制御に従って、ユーザＩＤに対応付けられた利用者情報データベース３３２に登録された特性情報を、そのユーザＩＤを有する端末装置１０に送信する。端末装置１０は、送信された特性情報を端末側記憶部３０に記憶させる。
【００４８】
アプリ連携処理部３１２は、サーバ側通信部３０５を用いて、乗車券購入アプリ３１が起動された端末装置１０と通信を行い、端末装置１０の画面に表示させる画像を制御する。例えば、アプリ連携処理部３１２は、サーバ側通信部３０５により画像要求情報が受信されると、端末装置１０の画面に読取画像ＣＤを表示させるために画像生成情報を生成し、これを画像要求情報に対するレスポンスとして端末装置１０に送信する。画像生成情報は、例えば、読取画像ＣＤの元となる効力情報などが文字や数値などに変換されたテキストデータまたはバイナリデータである。また、画像生成情報は、読取画像ＣＤを表示するウェブサイトのＵＲＬ（Uniform Resource Locator）であってもよい。端末装置１０は、画像生成情報をセンターサーバ装置３００から受信すると、画像生成情報と、端末側記憶部３０に記憶された特性情報とに基づいて読取画像ＣＤを表示する。なお、画像生成情報がテキストデータまたはバイナリデータである場合、端末装置１０は、それらのデータに基づく効力情報と、端末側記憶部３０に記憶された特性情報とを合わせたものをエンコードし、読取画像ＣＤをタッチパネル部に描画（レンダリング）する。
【００４９】
決済処理部３１４は、入場用の自動改札機１００および出場用の自動改札機１００の双方において通過が許可された利用者に対して、入場駅から出場駅までの利用区間の運賃（課金額の一例）を算出する。例えば、決済処理部３１４は、入場情報に含まれる入場駅の識別情報と、出場情報に含まれる出場駅の識別情報とに基づいて、利用区間の運賃を算出してよい。そして、決済処理部３１４は、効力情報データベース３３４を参照して、入場情報または出場情報に含まれるコードＩＤに対応付けられた利用者（ユーザＩＤ）を特定し、当該利用者に対して運賃を請求することを決定する。例えば、決済処理部３１４は、利用者情報データベース３３２を参照して、ユーザＩＤごとに設定された決済方式を用いて、予め定められた口座から運賃を引き落とし決済する。なお、実際の決済処理は、クレジット会社や通信キャリア会社の決済サーバなど、外部装置に依頼して行ってもよい。また、決済処理部３１４による決済処理は、利用者が自動改札機１００を通過する度に行われてもよいし、所定期間後に一括して行われてもよい。また、決済処理部３１４による決済処理は、必ずしも利用者が自動改札機１００を通過するタイミングで行われる必要はなく、通過後のいずれかのタイミングで行われてよい。また、決済処理部３１４は、乗車券購入アプリ３１において乗車券が購入された時点、すなわち端末装置１０から画像要求情報を受信した時点で運賃の決済を行ってもよい。
【００５０】
［処理の内容］
以下、鉄道利用管理システム１の一連の処理について説明する。図１２は、第１の実施形態における鉄道利用管理システム１の処理の流れの一例を示すシーケンス図である。なお、本シーケンスでは、自動改札機１００とセンターサーバ装置３００との通信を仲介する駅務サーバ装置２００については説明を省略している。
【００５１】
まず、端末装置１０は、乗車券購入アプリ３１が起動されると入力画面を表示する（ステップＳ１００）。次に、端末装置１０は、入力画面に入力された情報を含む画像要求情報をセンターサーバ装置３００に送信する（ステップＳ１０２）。
【００５２】
次に、センターサーバ装置３００は、端末装置１０から受信した画像要求情報から効力情報を抽出し、当該効力情報をレコードとして効力情報データベース３３４に記憶させると共に、効力情報を含む画像生成情報を生成する（ステップＳ１０４）。次に、センターサーバ装置３００は、生成した画像生成情報を、画像要求情報に対するレスポンスとして端末装置１０に送信する（ステップＳ１０６）。
【００５３】
次に、端末装置１０は、センターサーバ装置３００から受信した画像生成情報と、端末側記憶部３０に記憶された特性情報とに基づいて、読取画像ＣＤの画像を画面に表示する（ステップＳ１０８）。これによって、利用者は、読取画像ＣＤを表示した端末装置１０を自動改札機１００に翳すことで駅構内に入場することができる。以下、駅構内に入場する際に用いられる読取画像ＣＤを「入場用読取画像」と称して説明する。入場用読取画像は、「第１画像」の一例である。
【００５４】
自動改札機１００は、入場用読取画像を表示した端末装置１０が翳された場合、端末装置１０から入場用読取画像を読み取り、読み取った入場用読取画像から効力情報を取得する（ステップＳ１１０）。次に、自動改札機１００は、取得した効力情報と、現在の時刻情報と、自機が設置された駅の識別情報（すなわち入場駅の識別情報）と、運賃テーブル１７２とに基づいて、入場する利用者の通過可否を判定する（ステップＳ１１２）。以下では、通過が許可されたものとする。
【００５５】
次に、自動改札機１００は、通過を許可すると、取得した効力情報と共に、入場用読取画像が翳された時刻（入場時刻）や自機が設置された駅の識別情報などを含む入場情報をセンターサーバ装置３００に送信する（ステップＳ１１４）。
【００５６】
次に、センターサーバ装置３００は、自動改札機１００から受信した効力情報および入場情報をそれぞれ効力情報データベース３３４と入場情報データベース３３６とに記憶させる（ステップＳ１１６）。
【００５７】
次に、センターサーバ装置３００は、効力情報および入場情報を含む画像生成情報を生成し、当該画像生成情報を端末装置１０に送信する（ステップＳ１１８）。
【００５８】
端末装置１０は、センターサーバ装置３００から効力情報および入場情報を含む画像生成情報を受信すると、当該画像生成情報と、端末側記憶部３０に記憶された特性情報とに基づいて、読取画像ＣＤの画像を生成して画面に表示する（ステップＳ１２０）。これによって、利用者は、効力情報、入場情報、および特性情報を基に生成された読取画像ＣＤが表示された端末装置１０を自動改札機１００に翳すことで駅構外に出場することができる。以下、駅構外に出場する際に用いられる読取画像ＣＤを「出場用読取画像」と称して説明する。出場用読取画像は、「第２画像」の一例である。
【００５９】
自動改札機１００は、出場用読取画像が表示された端末装置１０が翳された場合、端末装置１０から出場用読取画像を読み取り、出場用読取画像から効力情報と入場情報とを取得する（ステップＳ１２２）。次に、自動改札機１００は、例えば、取得した効力情報および入場情報と、現在の時刻情報と、自機が設置された駅の識別情報（すなわち出場駅の識別情報）と、運賃テーブル１７２とに基づいて、出場する利用者の通過可否を判定する（ステップＳ１２４）。以下では、通過が許可されたものとする。
【００６０】
次に、自動改札機１００は、通過を許可すると、取得した効力情報および入場情報と共に、出場用読取画像が翳された時刻（出場時刻）や自機が設置された駅の識別情報（すなわち出場駅の識別情報）などを含む出場情報をセンターサーバ装置３００に送信する（ステップＳ１２６）。
【００６１】
次に、センターサーバ装置３００は、自動改札機１００から受信した効力情報、入場情報、および出場情報を、それぞれ効力情報データベース３３４、入場情報データベース３３６、および出場情報データベース３３８に記憶させる（ステップＳ１２８）。
【００６２】
また、センターサーバ装置３００の決済処理部３１４は、入場情報に含まれる入場駅の識別情報と、出場情報に含まれる出場駅の識別情報とに基づいて、利用区間に係る運賃を算出し、効力情報データベース３３４を参照して、入場情報または出場情報に含まれるコードＩＤに対応付けられた利用者（ユーザＩＤ）に運賃を請求することを決定する（ステップＳ１３０）。
【００６３】
次に、センターサーバ装置３００は、出場情報と、算出した運賃に関する情報（以下、運賃情報と称する）を端末装置１０に送信する（ステップＳ１３２）。これを受けて、端末装置１０は、画面に乗車が完了したことを示す画像や文字などを表示すると共に、乗車に要した運賃を表示する（ステップＳ１３４）。これによって、鉄道利用管理システム１において一人のユーザが入場してから出場するまでの一連の処理が終了する。
【００６４】
以下、鉄道利用管理システム１における個々の装置の処理について説明する。図１３は、第１の実施形態における端末装置１０による処理の流れの一例を示すフローチャートである。まず、端末装置１０の乗車券購入処理部１４は、乗車券購入アプリ３１が起動されるまで休止状態であり（ステップＳ２００）、乗車券購入アプリ３１が起動されると起動し、乗車券購入のための入力画面を表示して購入操作を受け付ける（ステップＳ２０２）。
【００６５】
次に、乗車券購入処理部１４は、端末側通信部１３を用いて、入力された情報を含む画像要求情報をセンターサーバ装置３００に送信する（ステップＳ２０４）。次に、乗車券購入処理部１４は、端末側通信部１３が１回目の画像生成情報を受信するまで待機し（ステップＳ２０６）、画像生成情報が受信されると、画像生成情報、および特性情報を合わせたものをエンコードして入場用読取画像を生成し、当該入場用読取画像をタッチパネル部に表示させる（ステップＳ２０８）。なお、画像生成情報が効力情報、および特性情報を合わせたものがエンコードされた入場用読取画像の画像データである場合、乗車券購入処理部１４は、読取画像ＣＤの生成処理を省略してよい。また、この場合、端末装置１０の端末側記憶部３０に特性情報が記憶されることが省略されてもよい。
【００６６】
次に、乗車券購入処理部１４は、端末側通信部１３が２回目の画像生成情報を受信するまで待機し（ステップＳ２１０）、画像生成情報が受信されると、画像生成情報、および特性情報を合わせたものをエンコードして出場用読取画像を生成し、当該出場用読取画像をタッチパネル部に表示させる（ステップＳ２１２）。
【００６７】
次に、乗車券購入処理部１４は、端末側通信部１３が出場情報および運賃情報を受信するまで待機し（ステップＳ２１４）、これらの情報が受信されると、タッチパネル部に乗車が完了したことを画像や文字で表示させると共に、乗車利用に要した運賃を表示する（ステップＳ２１６）。これによって、本フローチャートの処理が終了する。
【００６８】
図１４は、第１の実施形態における自動改札機１００による処理の流れの一例を示すフローチャートである。まず、画像処理部１５４は、読取部１１１（１３１）に読取画像ＣＤが翳されるまで待機し（ステップＳ３００）、読取画像ＣＤが翳されると、読取部１１１（１３１）のカメラＣＡＭにより撮像された画像から読取画像ＣＤを抽出し、抽出した読取画像ＣＤをデコードして、読取画像ＣＤに含まれる情報を取得する（ステップＳ３０２）。
【００６９】
次に、通過可否判定部１５６は、画像処理部１５４により取得された情報に入場情報が含まれているか否かを判定する（ステップＳ３０４）。通過可否判定部１５６は、入場情報が含まれていない場合、翳された読取画像ＣＤが入場用読取画像であると判定する。一方、通過可否判定部１５６は、入場情報が含まれている場合、翳された読取画像ＣＤが出場用読取画像であると判定する。
【００７０】
次に、通過可否判定部１５６は、通過可否の判定を行う（ステップＳ３０６）。例えば、翳された読取画像ＣＤが入場用読取画像である場合、通過可否判定部１５６は、効力情報に含まれる入場駅の識別情報と、自機が設けられた駅の識別情報とが合致し、さらに、入場時刻が効力情報の示す有効期間内である場合には、利用者の入場を許可し、他の場合には入場を禁止する。
【００７１】
また、翳された読取画像ＣＤが出場用読取画像である場合、通過可否判定部１５６は、効力情報に含まれる出場駅の識別情報と、自機が設けられた駅の識別情報とが合致し、さらに、出場時刻が効力情報の示す有効期間内である場合には、利用者の出場を許可し、他の場合には出場を禁止する。
【００７２】
また、通過可否判定部１５６は、出場時に翳された読取画像ＣＤから入場情報を取得できない場合、すなわち駅構内側の読取部に本来翳されるべき出場用読取画像ではなく入場用読取画像が翳された場合、出場を禁止する。なお、通過可否判定部１５６は、効力情報に含まれる入場駅または出場駅の識別情報と自駅の識別情報とが合致しなくても入場また出場を許可してもよい。例えば、通過可否判定部１５６は、運賃テーブル１７２を参照して、入場駅から出場駅までの利用区間内における経由駅の識別情報と自駅の識別情報とが合致する場合、すなわち、利用者が購入時に指定した入場駅と異なる経由駅から乗車しようとする場合は入場を許可すると共に、購入時に指定した出場駅と異なる経由駅から降車しようとする場合は出場を許可してよい。この場合、センターサーバ装置３００における決済処理部３１４は、入場情報に含まれる入場駅の識別情報と、出場情報に含まれる出場駅の識別情報とに基づいて運賃を算出するため、購入時に入力した区間に対応した本来の運賃を請求せずに、実際に利用した区間での運賃を請求することができ、利用者の利便性を向上させることができる。
【００７３】
通過可否判定部１５６により通過が許可された場合、通過可否判定部１５６は、画像処理部１５４により取得された情報に特性情報が含まれているか否かを判定する（ステップＳ３０８）。特性情報が含まれている場合、通過制御部１５８は、特性情報テーブル１７４を参照し、画像処理部１５４により取得された特性情報に応じた通過許可の制御を行い、利用者を通過させる（ステップＳ３１０）。
【００７４】
図１５は、特性情報テーブル１７４の一例を示す図である。特性情報テーブル１７４は、特性情報に対して自動改札機１００の各部の動作が対応付けられた情報である。各部は、例えば読取部１１１、１３１や、扉部１１４、１１５、１３４、１３５、スピーカ１４２、上面表示部１１２、１３２、正面表示部１１３、１３３、タッチ面表示部ＰＮ等のうち、一部または全部である。自動改札機１００の動作は、利用者の通過が許可された場合の動作、および利用者の通過が禁止された場合の動作のうち一方、または双方に対して対応付けられている。図示する例では、特性情報に対して、扉部１１４および１３４と、上面表示部１１２および１３２と、読取部１１１および１３１との動作が対応付けられている。
【００７５】
例えば、特性情報ＣＨ１に対しては、利用者の通過を禁止する場合、特性情報が含まれていない場合（通常時）の扉部１１４および１３４の動作に比して、扉部１１４および１３４をゆっくり動作させることを指示する情報が対応付けられている。また、例えば、特性情報ＣＨ１に対しては、利用者の通過を許可し、且つ利用者が自動改札機１００を通過した場合、通常時に後続の利用者が翳した画像を読取部１１１および１３１に読取らせるタイミングに比して、後続の利用者が翳した画像を読取部１１１および１３１に読取らせるタイミングを遅延させることを指示する情報が対応付けられている。利用者が自動改札機１００を通過したとは、通過センサ１４０により、利用者が検知されなくなったことである。また、例えば、特性情報ＣＨ２に対しては、利用者の通過を許可または禁止する場合、上面表示部１１２および１３２に表示させる文字を通常時に表示させる文字に比して大きく表示させることを指示する情報が対応付けられている。
【００７６】
また、特性情報に対して、スピーカ１４２から出力される音声の音量の大小を指示する情報や、スピーカ１４２から出力される情報の内容を指定する情報が対応付けられてもよい。例えば、特性情報に対して、利用者が出力される情報を認識しやすいように、スピーカ１４２から出力される音声の音量を大きくすることを指示する情報が対応付けられてもよい。また、特性情報に対して、利用者の通過を禁止する場合における扉部１１４および１３４が閉止状態になったときの角度や、扉部１１４および１３４を開放状態にするか閉止状態にするかを指示する情報が対応付けられてもよい。この場合、例えば、特性情報に対して、利用者の通過を禁止する場合に、扉部１１４および１３４が閉止状態になったときの角度が、通常時の角度（例えば９０度）に比して小さい角度（例えば４５度）に制御されることを指示する情報が対応付けられてもよい。また、特性情報に対して、利用者の通過を禁止する場合に、扉部１１４および１３４を開放状態にすることを指示する情報が対応付けられてもよい。
【００７７】
特性情報が含まれていない場合、通過制御部１５８は、通常時の通過許可の制御を行い、利用者を通過させる（ステップＳ３１２）。次に、通信制御部１５２は、改札機側通信部１４５を用いて、画像処理部１５４により取得された情報と、自機が設置された駅の識別情報および読取画像ＣＤが翳された時刻を含む情報（入場情報または出場情報）とをセンターサーバ装置３００に送信する（ステップＳ３１４）。
【００７８】
通過可否判定部１５６により通過が許可されなかった場合、通過可否判定部１５６は、画像処理部１５４により取得された情報に特性情報が含まれているか否かを判定する（ステップＳ３１６）。特性情報が含まれている場合、通過制御部１５８は、特性情報テーブル１７４を参照し、画像処理部１５４により取得された特性情報に応じた通過禁止の制御を行い、利用者の通過を禁止する（ステップＳ３１８）。通過制御部１５８は、画像処理部１５４により所定の特性情報が取得された場合、特性情報テーブル１７４を参照し、通過可否判定部１５６により利用者の通過が禁止され、且つ画像処理部１５４により所定の特性情報が取得されていない場合に比して、利用者の通過を禁止する動作を緩慢にする。特性情報が含まれていない場合、通過制御部１５８は、通常時の通過禁止の制御を行い、利用者の通過を禁止する（ステップＳ３２０）。これによって、本フローチャートの処理が終了する。
【００７９】
図１６は、扉部１１４および１３４の、通常時の動作と、特性情報に応じた動作とを比較するタイミングチャートである。図示する例は、通過制御部１５８が、扉部１１４および１３４の動作を緩慢に制御する例である。図中、縦軸は扉部１１４、１３４の動作状態、横軸は時間を示している。図中、閉（９０度）は、扉部１１４、１３４の閉止状態（扉部１１４、１３４が利用者の通路を塞ぐように９０度動作した状態）を示している。図示する例では、一定の速度で扉部１１４および１３４が、開放された状態から閉止された状態に動作し、利用者の通過を禁止する場合を示している。
【００８０】
推移線Ｌ１は、通常時の扉部１１４および１３４の動作を示し、推移線Ｌ２は、特性情報に応じた扉部１１４および１３４の動作を示している。推移線Ｌ１では、時刻ｔ０で、通過制御部１５８が、通過可否判定部１５６から利用者の通過を許可することができないことを示す情報を取得すると、扉部１１４および１３４の動作を開始させる。時刻ｔ０以後、通過制御部１５８が、扉部１１４および１３４を第１の速度で動作させた状態を維持させる。時刻ｔ＋１で、通過制御部１５８が、扉部１１４および１３４を閉状態に制御する。
【００８１】
一方、推移線Ｌ２では、時刻ｔ０で、通過制御部１５８が、通過可否判定部１５６から利用者の通過を許可することができないことを示す情報を取得すると、扉部１１４および１３４の動作を開始させる。時刻ｔ０以後、通過制御部１５８が、扉部１１４および１３４を第１の速度に比して遅い第２の速度で動作させた状態を維持させる。時刻ｔ＋１より所定時間経過した時刻である時刻ｔ＋２で、通過制御部１５８が、扉部１１４および１３４を閉状態に制御する。
【００８２】
このように、自動改札機１００は、所定の特性情報を取得した場合、扉が閉まる速度を遅くすることにより、例えば怪我をしている利用者や、妊娠している利用者などの利用者に対して、やさしい改札処理を行うことができる。この結果、利用者の特性に適合した動作を行うことができる。
【００８３】
図１７は、読取部１１１および１３１の、通常時の動作と、特性情報に応じた動作とを比較するタイミングチャートである。図中、縦軸は読取部１１１および１３１の動作状態、横軸は時間を示している。図中、動作状態は、読取部１１１および１３１が、利用者に翳された画像を取得する動作を開始している状態である。利用者に翳された画像を取得する動作を開始している状態は、例えば、利用者によって読取部１１１または１３１に物体が翳された場合にカメラＣＡＭが物体を撮像する動作をする状態である。利用者に翳された画像を取得する動作を開始していない状態は、例えば、利用者によって読取部１１１または１３１に物体が翳された場合であってもカメラＣＡＭが物体を撮像する動作をしない状態である。
【００８４】
推移線Ｌ３は、通常時の読取部１１１および１３１の動作を示し、推移線Ｌ４は、特性情報に応じた読取部１１１および１３１の動作を示している。時刻ｔ０より前に、利用者の通過が許可されて、時刻ｔ０で、利用者が自動改札機１００を通過したものとする。
【００８５】
通常時の読取部１１１および１３１の動作では、推移線Ｌ３に示すように、通過制御部１５８は、時刻ｔ０から時刻ｔ＋１１の前まで、読取部１１１および１３１の動作を停止させる。時刻ｔ＋１１で、通過制御部１５８は、読取部１１１および１３１の動作を開始させる。
【００８６】
一方、特性情報に応じた読取部１１１および１３１の動作では、推移線Ｌ４に示すように、通過制御部１５８は、時刻ｔ０から、時刻ｔ＋１１より遅い時刻である時刻ｔ＋１２の前まで、読取部１１１，１３１の動作を停止させる。時刻ｔ＋１２で、通過制御部１５８は、読取部１１１および１３１の動作を開始させる。
【００８７】
これにより、自動改札機１００は、怪我をしている利用者や、妊娠中の利用者などが、自動改札機１００から十分離れた位置に移動するまで、後続の利用者により翳された端末装置１０に表示された画像を、受け付けない。このため、後続の利用者が、怪我をしている利用者や、妊娠中の利用者などに接近することを抑制することができる。
【００８８】
また、通過制御部１５８は、時刻ｔ０から読取部１１１および１３１が動作を開始するまでの間、タッチ面表示部ＰＮを消灯状態に制御し、読取部１１１および１３１が動作を開始すると共にタッチ面表示部ＰＮを点灯状態に制御する。また、通過制御部１５８は、時刻ｔ０から読取部１１１および１３１が動作を開始するまでの間、正面表示部１１３、および１３３に、当該自動改札機１００が利用することができないことを示す情報を表示させてもよい。これにより、利用者は、読取部１１１および１３１が動作していない状態を認識することができる。
【００８９】
このように、自動改札機１００は、所定の特性情報を取得した場合、後続の利用者により翳された画像を取得する動作を遅らせることにより、例えば怪我をしている利用者や、妊娠している利用者などに対して、やさしい改札処理を行うことができる。この結果、利用者の特性に適合した動作を行うことができる。
【００９０】
また、通過制御部１５８は、通過可否判定部１５６により利用者の通過が禁止され、且つ画像処理部１５４により画像から所定の特性情報が取得された場合、通過可否判定部１５６により利用者の通過が禁止され、且つ画像処理部１５４により所定の特性情報が取得されていない場合に比して、表示部に表示させる画像を利用者にとって認識しやすい画像に変更して、上面表示部１１２または１３２に表示させてもよい。利用者にとって認識しやすい画像は、例えば、通常時に比して文字や記号等が大きく表示された画像や、利用者にとって認識しやすい色彩で表示された画像などである。
【００９１】
また、通過制御部１５８は、通過可否判定部１５６により利用者の通過が許可され、且つ画像処理部１５４により画像から所定の特性情報が取得された場合、通過可否判定部１５６により利用者の通過が許可され、且つ画像処理部１５４により所定の特性情報が取得されていない場合に比して、表示部に表示させる画像を利用者にとって認識しやすい画像に変更して、上面表示部１１２または１３２に表示させてもよい。
【００９２】
なお、図１７の例では、通過センサ１４０により、利用者が検知されなくなった後に、読取部１１１および１３１が利用者に翳された画像を取得する動作を開始するタイミングを、特性情報に基づいて、遅延させるものとして説明したが、これに限られない。例えば、第１の利用者により翳された画像を取得する動作を開始した後、後続の利用者である第２の利用者により翳された画像を取得する動作を開始するタイミングを、特性情報に基づいて、変更してもよい。
【００９３】
例えば、通過制御部１５８は、画像処理部１５４によって第１の利用者により翳された画像から所定の特性情報が取得された場合、画像処理部１５４によって第１の利用者により翳された画像から所定の特性情報が取得されなかった場合に比して、第２の利用者により翳された画像を取得する動作を開始するタイミングを遅延させる。これにより、例えば混雑時など、自動改札機１００を利用する利用者が多い場合であっても、特性情報が取得されなかった場合には、利用者は、自動改札機１００をより迅速に通過することができる。特性情報が取得された場合には、自動改札機１００は、利用者の特性に適合した動作を行うことができる。
【００９４】
図１８は、第１の実施形態におけるセンターサーバ装置３００による処理の流れの一例を示すフローチャートである。
【００９５】
まず、アプリ連携処理部３１２は、サーバ側通信部３０５が端末装置１０から画像要求情報を受信したか否かを判定する（ステップＳ４００）。端末装置１０から画像要求情報を受信した場合、アプリ連携処理部３１２は、画像要求情報に含まれる情報から効力情報を抽出し、抽出した効力情報を用いて入場用読取画像を生成するための画像生成情報を生成し、当該画像生成情報を端末装置１０に送信する（ステップＳ４０２）。
【００９６】
一方、端末装置１０から画像要求情報を受信しない場合、アプリ連携処理部３１２は、サーバ側通信部３０５が自動改札機１００から情報を受信したか否かを判定する（ステップＳ４０４）。自動改札機１００から情報を受信しない場合、本フローチャートの処理は終了する。
【００９７】
一方、自動改札機１００から情報を受信した場合、アプリ連携処理部３１２は、当該情報に出場情報が含まれているか否かを判定する（ステップＳ４０６）。アプリ連携処理部３１２は、出場情報が含まれていない場合、効力情報および入場情報を用いて出場用読取画像を生成するための画像生成情報を生成し、当該画像生成情報を端末装置１０に送信する（ステップＳ４０８）。
【００９８】
一方、決済処理部３１４は、出場情報が含まれている場合、入場情報に含まれる入場駅の識別情報と、出場情報に含まれる識別情報とに基づいて、利用区間の運賃を算出する（ステップＳ４１０）。なお、決済処理部３１４は、効力情報が示す利用区間の運賃を算出してもよい。この場合、決済処理部３１４は、端末装置１０から画像要求情報を受信した時点で効力情報を参照し、利用区間の運賃を算出してもよい。
【００９９】
次に、アプリ連携処理部３１２は、サーバ側通信部３０５を用いて、出場情報および運賃情報を端末装置１０に送信する（ステップＳ４１２）。これによって、本フローチャートの処理が終了する。
【０１００】
上述した実施形態では、同じ読取画像ＣＤが重複して利用される場合が想定される。例えば、いずれかの読取画像ＣＤが表示された端末装置１０において、スクリーンキャプチャなどの機能によって読取画像ＣＤがコピーされたり、読取画像ＣＤが表示された画面がカメラなどで撮像されたりすることで、第三者によって不正に読取画像ＣＤが利用される可能性がある。例えば、決済処理部３１４は、出場情報が出場情報データベース３３８に登録される際に、入場情報データベース３３６に１レコードしかないにも関わらず出場情報データベース３３８に複数レコードが登録されたコードＩＤが存在する場合、一つの入場情報と、複数の出場情報のそれぞれとの組み合わせの全てに対して運賃を算出し、請求するものとしてよい。これによって、購入者のコピーによる不正利用によって被る損害を防止することができる。
【０１０１】
以上説明した第１の実施形態によれば、端末装置１０により表示された画像から、乗車券としての効力情報を含む情報を光学的に取得する光学読取部（１１１、１５４）と、光学的読取部により取得された効力情報に基づいて、端末装置１０の利用者の通過可否を判定する通過可否判定部１５６と、光学読取部が画像から所定の特性情報を取得したか否かに基づいて、少なくとも利用者の通過を禁止する動作の態様を異ならせる通過制御部１５８とを持つことにより、利用者の特性に適合した動作を行うことができる。
【０１０２】
（第１の実施形態の変形例）
以下、第１の実施形態の変形例について説明する。上述した第１の実施形態では、自動改札機１００が利用者の通過可否の判定を行うものとして説明したが、係る判定をセンターサーバ装置３００が行ってもよい。すなわち、通過可否判定部１５６と同等の機能を有する通過可否判定部は、センターサーバ装置３００が有する構成であってもよい。この場合、自動改札機１００の通過可否判定部１５６は、読取画像ＣＤから読み取った各種情報（入場情報、出場情報として例示したもののうち一部または全部）をセンターサーバ装置３００に送信する。センターサーバ装置３００における通過可否判定部は、サーバ側通信部３０５を用いて、自動改札機１００により送信された情報を受信し、自動改札機１００に端末装置１０を翳した利用者の通過可否を判定する。センターサーバ装置３００における通過可否判定部は、サーバ側通信部３０５を用いて、判定結果を自動改札機１００に送信する。そして、自動改札機１００における通過制御部１５８は、センターサーバ装置３００により送信され、自動改札機１００の通過可否判定部１５６により取得された通過可否の判定結果に応じて、利用者の通過を制御する。
【０１０３】
また、上述した第１の実施形態では、端末装置１０において起動された乗車券購入アプリ３１の機能によって読取画像ＣＤを表示するものとして説明したがこれに限られない。例えば、読取画像ＣＤは、端末装置１０のウェブブラウザによって表示されたウェブページ上に表示されてもよい。この場合、センターサーバ装置３００は、ウェブサーバとして機能するものであってよい。例えば、端末装置１０は、読取画像ＣＤが画像として表示されるウェブページへアクセスするために、ＨＴＴＰ（Hypertext Transfer Protocol）リクエストをセンターサーバ装置３００に送信する。そして、端末装置１０は、センターサーバ装置３００から返信されたＨＴＴＰレスポンスに基づいてウェブページをタッチパネル部に表示させる。ＨＴＴＰレスポンスとして送信されるデータには、少なくとも効力情報と、所定の特性情報とを合わせたものがエンコードされた読取画像ＣＤの画像データが含まれる。この結果、端末装置１０は、画像データに基づいて読取画像ＣＤを表示することになる。なお、読取画像ＣＤを含むウェブページは、パスワード入力などによるユーザ認証が得られたことを条件に、端末装置１０に返信される。
【０１０４】
また、上述した第１の実施形態では、駅務サーバ装置２００は、単に自動改札機１００とセンターサーバ装置３００との通信を中継するものとして説明したがこれに限られない。例えば、駅務サーバ装置２００には、センターサーバ装置３００の構成要素の一部または全部が備えられていてもよい。
【０１０５】
（第２の実施形態）
以下、第２の実施形態における鉄道利用管理システム１Ａについて説明する。第２の実施形態における鉄道利用管理システム１Ａでは、電子マネーやクレジット決済を利用することを前提に、読取画像ＣＤに効力情報の一部を含めない点で、第１の実施形態と相違する。すなわち、本実施形態における入場用読取画像の画像生成情報には、コードＩＤが含まれるものの、有効期間、入場駅（発駅）の識別情報、乗車可能区間などは省略されてよい。以下では、係る相違点を中心に説明し、共通する部分についての説明は省略する。
【０１０６】
図１９は、乗車券購入アプリ３１が起動された際に、端末装置１０のタッチパネル部に乗車券購入のための入力画面が表示された様子の他の例を示す図である。この入力画面は、予めユーザ登録をしておき、例えばユーザＩＤやパスワードを入力してログインした後に、所定の操作をすることで表示される。本実施形態における入力画面では、乗車区間や乗車日などを入力する領域が省略され、日本語や英語といった言語を設定する領域Ａ１、および乗車券の発行要求を確定するためのボタンＢ１が設けられる。例えば、入力画面において、乗車券の発行を確定する入力（図中ＹＥＳ）が操作された場合、端末装置１０の端末側通信部１３は、センターサーバ装置３００に画像要求情報を送信し、センターサーバ装置３００から画像要求情報に対応したレスポンスとしてコードＩＤを含む画像生成情報を受信する。乗車券購入処理部１４は、画像生成情報に含まれるコードＩＤを画像にエンコードして入場用読取画像を生成し、タッチパネル部に表示させる。なお、コードＩＤは、乗車券購入アプリ３１のインストールなどのタイミングで予め端末側記憶部３０に記憶されていてもよい。この場合、乗車券購入処理部１４は、予め端末側記憶部３０に記憶させておいたコードＩＤを読み出して、当該コードＩＤを画像にエンコードすることで入場用読取画像をタッチパネル部に表示させる。また、コードＩＤを含む画像生成情報は、既に画像にエンコードされた画像データであってもよい。このような処理によって、端末装置１０の画面には、効力情報の一部の情報であるコードＩＤのみが含まれた入場用読取画像が表示されることになる。
【０１０７】
図２０は、第２の実施形態における自動改札機１００Ａによる処理の流れの一例を示すフローチャートである。自動改札機１００Ａの画像処理部１５４は、読取部１１１（１３１）に読取画像ＣＤが翳されるまで待機し（ステップＳ５００）、読取画像ＣＤが翳されると、読取部１１１（１３１）のカメラＣＡＭにより撮像された画像から読取画像ＣＤを抽出し、抽出した読取画像ＣＤをデコードして、読取画像ＣＤに含まれる情報を取得する（ステップＳ５０２）。
【０１０８】
次に、通過可否判定部１５６は、画像処理部１５４により取得された情報にコードＩＤと入場情報が含まれているか否かを判定する（ステップＳ５０４）。通過可否判定部１５６は、コードＩＤのみが含まれている場合、現在行っている処理が利用者の入場を管理する処理（入場処理）であるか否かを判定する（ステップＳ５０６）。
【０１０９】
現在行っている処理が入場処理である場合、通過可否判定部１５６は、画像処理部１５４により取得された情報に特性情報が含まれているか否かを判定する（ステップＳ５０８）。特性情報が含まれている場合、通過制御部１５８は、特性情報テーブル１７４を参照し、画像処理部１５４により取得された特性情報に応じた通過許可の制御を行い、利用者を通過させる（ステップＳ５１０）。特性情報が含まれていない場合、通過制御部１５８は、通常時の通過許可の制御を行い、利用者を通過させる（ステップＳ５１２）。そして、通信制御部１５２は、改札機側通信部１４５を用いて、画像処理部１５４により取得されたコードＩＤと、自機が設置された駅の識別情報および読取画像ＣＤが翳された時刻を含む入場情報とをセンターサーバ装置３００に送信する（ステップＳ５１４）。
【０１１０】
ステップＳ５０６で、通過可否判定部１５６は、画像処理部１５４により取得された情報にコードＩＤのみが含まれており、且つ現在行っている処理が入場処理でない場合、利用者の通過を禁止する。すなわち、通過可否判定部１５６は、出場処理中に誤って入場用読取画像が翳されたものと判定する。そして、ステップＳ５１８の処理に進む。
【０１１１】
ステップＳ５０４で、通過可否判定部１５６は、画像処理部１５４により取得された情報にコードＩＤおよび入場情報の双方が含まれている場合、現在行っている処理が利用者の出場を管理する処理（出場処理）であるか否かを判定する（ステップＳ５１６）。
【０１１２】
現在行っている処理が出場処理である場合、通過可否判定部１５６は、利用者の通過を許可する。これを受けて、通過制御部１５８は、Ｓ５０８と、Ｓ５１０またはＳ５１２との処理を行い、利用者を通過させる。そして、通信制御部１５２は、Ｓ５１４の処理として、改札機側通信部１４５を用いて、画像処理部１５４により取得されたコードＩＤおよび入場情報と、自機が設置された駅の識別情報および読取画像ＣＤが翳された時刻を含む出場情報とをセンターサーバ装置３００に送信する。これによって、センターサーバ装置３００における決済処理部３１４は、入場情報に含まれる入場駅の識別情報と、出場情報に含まれる出場駅の識別情報とに基づいて運賃を算出することで、利用者が実際に利用した区間での運賃を請求する。
【０１１３】
一方、通過可否判定部１５６は、画像処理部１５４により取得された情報にコードＩＤおよび入場情報の双方が含まれており、且つ現在行っている処理が出場処理でない場合、通過可否判定部１５６は、入場処理中に誤って出場用読取画像が翳されたものと判定し、画像処理部１５４により取得された情報に特性情報が含まれているか否かを判定する（ステップＳ５１８）。特性情報が含まれている場合、通過制御部１５８は、特性情報テーブル１７４を参照し、画像処理部１５４により取得された特性情報に応じた通過禁止の制御を行い、利用者の通過を禁止する（ステップＳ５２０）。特性情報が含まれていない場合、通過制御部１５８は、通常時の通過禁止の制御を行い、利用者を禁止する（ステップＳ５２２）。これによって、本フローチャートの処理が終了する。
【０１１４】
以上説明した第２の実施形態によれば、乗車券購入アプリ３１の入力画面において、読取画像ＣＤの表示に最小限必要な入力項目を入力するための領域のみが設けられ、読取画像ＣＤに含まれる情報から利用者が実際に利用した乗車区間に係る運賃が算出されるため、利用者が事前に乗車区間ごとの運賃を把握しなくとも鉄道を利用することができる。この結果、さらに利用者の利便性を向上させることができる。
【０１１５】
（第２の実施形態の変形例）
以下、第２の実施形態の変形例について説明する。第２の実施形態の変形例では、第１の実施形態の変形例と同様に、センターサーバ装置３００が利用者の通過可否の判定を行ってもよい。この場合、センターサーバ装置３００は、通過可否判定部を有する。センターサーバ装置３００における通過可否判定部は、図２０のフローチャートにおいて、画像処理（Ｓ５０２）の結果を自動改札機１００Ａから受信して、Ｓ５０６、Ｓ５１６の処理を行う。この際、センターサーバ装置３００における通過可否判定部は、Ｓ５０６とＳ５０８との間に、利用制限に抵触するか否かを判定してもよい。利用制限とは、予めチャージされた電子マネーの範囲内であること、クレジットカードの限度額以内であることなどである。例えば、駅の窓口などにおいて事前に電子マネーのチャージ額や、クレジットカードの限度額を申請することで、利用者情報データベース３３２には、ユーザＩＤに対して、電子マネーのチャージ額やクレジットカードの限度額などが対応付けられる。
【０１１６】
センターサーバ装置３００における通過可否判定部は、Ｓ５０６の判定において肯定的な判定結果（ＹＥＳ判定）を得た場合、利用者情報データベース３３２を参照して、最低料金（例えば一駅分の運賃）分の金額が電子マネーとしてチャージされているか否か、或いは最低料金分の金額を課金した場合にクレジットカードの限度額を超えるか否かを判定する。センターサーバ装置３００における通過可否判定部は、電子マネーのチャージ額が最低料金未満の場合、または最低料金分の金額を課金した場合にクレジットカードの限度額を超える場合には通過を禁止し、他の場合には通過を許可する。
【０１１７】
また、センターサーバ装置３００における通過可否判定部は、Ｓ５１６の判定において肯定的な判定結果（ＹＥＳ判定）を得た場合、入場駅から出場駅までの利用区間に係る運賃分の金額が電子マネーとしてチャージされているか否か、或いは運賃分の金額を課金した場合にクレジットカードの限度額を超えるか否かを判定する。センターサーバ装置３００における通過可否判定部は、電子マネーのチャージ額が運賃未満の場合、または運賃分の金額を課金した場合にクレジットカードの限度額を超える場合には通過を禁止し、他の場合には通過を許可する。
【０１１８】
なお、本実施形態では、端末装置１０が乗車券として利用されるものとして説明したが、これに限られない。例えば、乗車券は、磁気券や、交通系ＩＣカード、コードが印刷された紙券などの媒体であってもよい。磁気券が利用される場合、磁気券の磁気ストライプには、乗車券の効力情報、および特性情報が記憶される。この場合、自動改札機１００は、磁気券読取部（情報読取部）、および磁気券処理部を備える。磁気券読取部は、磁気ストライプに記憶された効力情報、および特性情報を取得する。通過可否判定部１５６は、磁気券読取部により取得された効力情報に基づいて、利用者の通過可否を判定する。通過制御部１５８は、磁気券読取部により所定の特性情報が取得されたか否かに基づいて、少なくとも利用者の通過を禁止する動作の態様を異ならせる。また、入場処理時において通過可否判定部１５６により入場の許可がされた場合、磁気券処理部は、入場の許可がされた情報や、入場した駅の情報を磁気ストライプに記憶させる。
【０１１９】
交通系ＩＣが利用される場合、交通系ＩＣの記憶部には、乗車券の効力情報、および特性情報が記憶される。この場合、自動改札機１００は、通信部（情報読取部）を備える。通信部は、交通系ＩＣと無線通信することで、交通系ＩＣの記憶部に記憶された効力情報、および特性情報を取得する。通過可否判定部１５６は、通信部により取得された効力情報に基づいて、利用者の通過可否を判定する。通過制御部１５８は、通信部により所定の特性情報が取得されたか否かに基づいて、少なくとも利用者の通過を禁止する動作の態様を異ならせる。また、通信部は、自動改札機１００により処理された結果を交通系ＩＣに送信し、交通系ＩＣの記憶部に記憶させる。
【０１２０】
以上説明した少なくとも一つの実施形態によれば、端末装置により表示された画像から、乗車券としての効力情報を含む情報を光学的に取得する光学読取部と、光学的読取部により取得された効力情報に基づいて、前記端末装置の利用者の通過可否を判定する通過可否判定部と、前記光学読取部が前記画像から所定の特性情報を取得したか否かに基づいて、少なくとも前記利用者の通過を禁止する動作の態様を異ならせる通過制御部とを持つことにより、利用者の特性に適合した動作を行うことができる。
【０１２１】
端末装置により表示された画像から、乗車券としての効力情報を含む情報を光学的に取得する光学読取部と、
光学的読取部により取得された効力情報に基づいて、前記端末装置の利用者の通過可否を判定する通過可否判定部と、
前記光学読取部により前記画像から所定の特性情報が取得された場合、取得されない場合に比して、前記利用者の通過を禁止する禁止部材の作動速度を遅くする通過制御部と、
を備える自動改札機。
【０１２２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２３】
１…鉄道利用管理システム、１０…端末装置、１００…自動改札機、１１１、１３１…読取部、１１４、１１５、１３４、１３５…扉部、１１２、１３２…上面表示部、１５４…画像処理部、１５６…通過可否判定部、１５８…通過制御部、１７４…特性情報テーブル、２００…駅務サーバ装置、３００…センターサーバ装置
【図１】
2018022449.tif 000003
【図２】
2018022449.tif 000004
【図３】
2018022449.tif 000005
【図４】
2018022449.tif 000006
【図５】
2018022449.tif 000007
【図６】
2018022449.tif 000008
【図７】
2018022449.tif 000009
【図８】
2018022449.tif 000010
【図９】
2018022449.tif 000011
【図１０】
2018022449.tif 000012
【図１１】
2018022449.tif 000013
【図１２】
2018022449.tif 000014
【図１３】
2018022449.tif 000015
【図１４】
2018022449.tif 000016
【図１５】
2018022449.tif 000017
【図１６】
2018022449.tif 000018
【図１７】
2018022449.tif 000019
【図１８】
2018022449.tif 000020
【図１９】
2018022449.tif 000021
【図２０】
2018022449.tif 000022